(57)【特許請求の範囲】
【請求項１】
診療台と、スピットンを備えた術者用キャビネットと、補助者用キャビネットと、術者用キャビネットに設けられ、術者用インスツルメントを保持するホルダーを備えたトレーテーブルと、補助者用キャビネットに設けられ、補助者用インスツルメントを保持するホルダーとを有する診療装置において、
上記術者用インスツルメントを挿着し得る差込孔を備え、これら差込孔に挿着された術者用インスツルメントの給水管路中の残留水を上記スピットンに排出する為、該スピットンに設置可能とされる放水皿と、
上記補助者用キャビネット内に設置され、上記補助者用インスツルメントを挿着し得る差込孔を備え、これら差込孔に挿着された補助者用インスツルメントの給水管路中の残留水を排出する為の洗浄タンクとを備え、
上記術者用インスツルメントの給水管路及び補助者用インスツルメントの給水管路は、共通の水元及び主給水管路に接続され、両給水管路中の残留水の排出が、この共通の水元及び主給水管路から新たな水を給送することによって、同時又は順次なされるようにしたことを特徴とする診療装置。
【請求項２】
診療台と、スピットンを備えた術者用キャビネットと、補助者用キャビネットと、術者用キャビネットに設けられ、術者用インスツルメントを保持するホルダーを備えたトレーテーブルと、補助者用キャビネットに設けられ、補助者用インスツルメントを保持するホルダーとを有する診療装置において、
上記術者用インスツルメントを挿着し得る差込孔を備え、これら差込孔に挿着された術者用インスツルメントの給水管路中の残留水を上記スピットンに排出する為、該スピットンに設置可能とされる放水皿と、
上記補助者用キャビネット内に設置され、上記補助者用インスツルメントを挿着し得る差込孔を備え、これら差込孔に挿着された補助者用インスツルメントの給水管路中の残留水を排出する為の洗浄タンクとを備え、
上記術者用インスツルメントの給水管路及び補助者用インスツルメントの給水管路は、共通の水元及び主給水管路に接続されると共に、該主給水管路にはエア供給管路の分岐管路が接続され、両給水管路中の残留水の排出が、水元からの給水を遮断した上で、エア供給管路から分岐管路及び主給水管路を介してエアを圧送することによって、一斉になされるようにしたことを特徴とする診療装置。
【請求項３】
請求項１又は２に記載の診療装置において、
前記補助者用インスツルメントは、主給水管路に接続された給水シリンジと、バキュームタンクを介して吸引源に接続された吸引シリンジとを含み、給水シリンジの給水管路中の残留水を前記洗浄タンクに排出する際、吸引シリンジによって該洗浄タンクに排出された排水を吸引して吸引シリンジの管路を洗浄し得るようにしたことを特徴とする診療装置。
【請求項４】
請求項３に記載の診療装置において、
前記洗浄タンクには、前記主給水管路から給水し得る給水口と、前記バキュームタンクに通じる吸引口が設けられていることを特徴とする診療装置。
【請求項５】
請求項１又は２に記載の診療装置において、
前記補助者用キャビネットは、前後にスライド可能な引出しユニットを備え、該引出しユニットには、作業天板と、前記補助者用インスツルメントを保持する為のホルダーと、前記洗浄タンクを含む洗浄タンクユニットとが設けられていることを特徴とする診療装置。
【請求項６】
請求項５に記載の診療装置において、
前記補助者用インスツルメントは、主給水管路に接続された給水シリンジと、バキュームタンクを介して吸引源に接続された吸引シリンジとを含み、給水シリンジの給水管路中の残留水を前記洗浄タンクに排出する際、吸引シリンジによって該洗浄タンクに排出された排水を吸引して吸引シリンジの管路を洗浄し得るようにし、前記洗浄タンクユニットは、上記洗浄タンクとバキュームタンクとを一体として構成されていることを特徴とする診療装置。
【請求項７】
請求項１乃至６のいずれかに記載の診療装置において、
前記トレーテーブル又は補助者用インスツルメントホルダーには、前記残留水の排出動作を実行させる為の操作スイッチが設けられていることを特徴とする診療装置。
【請求項８】
診療台と、スピットンを備えた術者用キャビネットと、補助者用キャビネットと、術者用キャビネットに設けられ、術者用インスツルメントを保持するホルダーを備えたトレーテーブルと、補助者用キャビネットに設けられ、補助者用インスツルメントを保持するホルダーとを有する診療装置における上記各インスツルメントの給水管路中の残留水排出方法であって、
上記術者用インスツルメントを挿着し得る差込孔を備えた放水皿を上記スピットンに設置し、これら差込孔に術者用インスツルメントを挿着する工程と、
上記補助者用キャビネット内に設置された洗浄タンクのインスツルメント差込孔に上記補助者用インスツルメントを挿着する工程と、
スイッチ操作により、上記術者用インスツルメントの給水管路及び補助者用インスツルメントの給水管路に接続された共通の水元及び主給水管路から、これら給水管路に新たな水を給送し、これら給水管路中の残留水を上記スピットン及び洗浄タンクに同時又は順次排出する工程とよりなることを特徴とする診療装置の残留水排出方法。
【請求項９】
診療台と、スピットンを備えた術者用キャビネットと、補助者用キャビネットと、術者用キャビネットに設けられ、術者用インスツルメントを保持するホルダーを備えたトレーテーブルと、補助者用キャビネットに設けられ、補助者用インスツルメントを保持するホルダーとを有する診療装置における上記各インスツルメントの給水管路中の残留水排出方法であって、
上記術者用インスツルメントを挿着し得る差込孔を備えた放水皿を上記スピットンに設置し、これら差込孔に術者用インスツルメントを挿着する工程と、
上記補助者用キャビネット内に設置された洗浄タンクのインスツルメント差込孔に上記補助者用インスツルメントを挿着する工程と、
スイッチ操作により、上記術者用インスツルメントの給水管路及び補助者用インスツルメントの給水管路に接続された共通の水元に通じる主給水管路の途中に接続されたエア供給管路の分岐管路から、水元からの給水を遮断した上で、これら給水管路にエアを圧送し、これら給水管路中の残留水を上記スピットン及び洗浄タンクに一斉に排出する工程とよりなることを特徴とする診療装置の残留水排出方法。
【請求項１０】
請求項８又は９に記載の診療装置の残留水排出方法において、
前記補助者用インスツルメントは、主給水管路に接続された給水シリンジと、バキュームタンクを介して吸引源に接続された吸引シリンジとを含み、給水シリンジの給水管路中の残留水を前記洗浄タンクに排出する際、吸引シリンジによって該洗浄タンクに排出された排水を吸引して吸引シリンジの管路を洗浄することを特徴とする診療装置の残留水排出方法。
【発明の詳細な説明】
【技術分野】
【０００１】
本発明は、医療用、特に歯科用診療装置に関し、インスツルメントの給水管路に残留する水の排出機能を備えた診療装置とその残留水排出方法に関するものである。
【背景技術】
【０００２】
上記のような歯科用診療装置においては、各種インスツルメントが用いられる。これらインスツルメントは、給水源から給水管路を経て先端より水を患部に噴射させる為の注水手段を備えたインスツルメント（エアタービンハンドピース、マイクロモータハンドピース、スケーラ、ウォータシリンジ等）や、口腔内の唾液或いは処置汚物等を吸引排出するインスツルメント（バキュームシリンジ、サライバエジェクタ等）に類別される。前者のインスツルメントの場合、使用時には、給水源から常に清浄な水が供給されるが、使用後は各給水管路に水が残留する。この残留水を給水管路内に長く放置すると、雑菌が増殖し、水垢が発生することになるので、残留水を定期的に排出させる必要がある。また、後者のインスツルメントの場合も、使用後唾液や処置汚物が吸引管路内に残留することがあり、これを放置すると吸引管路内に雑菌を増殖させることになるので、定期的に吸引管路内の洗浄を行う必要がある。
【０００３】
特許文献１には、コップ給水部及びフレキシブルチューブ（インスツルメント用給水管路）に清浄水を供給して、残留水を排出して管路内を清浄水に置き換え洗浄する方法が開示されている。また、特許文献２には、薬液洗浄する際の薬液温度の低下を防ぐ為に各インスツルメントの給水管路に押出し空気を供給することによって、給水管路内の残留水を排出する方法が開示されている。更に、特許文献３には、スピットンノズル等から残留水排出以外の目的で水を出し、スピットン鉢等に水を溜めてから吸込みカニューレ（バキュームシリンジ等の吸引シリンジに相当）で吸込み、吸込みチューブ（吸引管路）等を洗浄する方法が開示されている。
【特許文献１】特開平１１−２２１２４１号公報
【特許文献２】特開２００２−２２４１４６号公報
【特許文献３】特開平４−２２５８８３号公報
【発明の開示】
【発明が解決しようとする課題】
【０００４】
上記特許文献１及び特許文献２に開示されたインスツルメントの給水管路の洗浄方法は、各インスツルメントが術者用及び補助者用として区別されず、スピットンと共に診療台の近傍に配されている診療装置を対象としている。また、特許文献３に開示された吸引シリンジの吸引管路の洗浄方法は、インスツルメントの給水管路の残留水排水（洗浄）とは無関係になされるものであるから、歯科の診療装置において、インスツルメントの給水管路の残留水排出及び吸引管路の洗浄を定期的に実施する場合、各２回の操作を必要とすることになる。
【０００５】
而して、近時、術者が使用するインスツルメントと、主に補助者が使用するインスツルメントとを区別し、これらを夫々診療室内の適正位置に配置された術者用キャビネット及び補助者用キャビネットに設け、診療作業の機能性を高めるようにした診療装置も採用されるようになった。このような診療装置においては、術者用キャビネットに設けられたスピットンに放水皿を設置し、この放水皿に術者用インスツルメントを集約し、各インスツルメントに清浄水を給水し或いはエアを圧送することによって各給水管路中の残留水を排出するようになされるが、補助者用キャビネットにはスピットン及びこれと類似のものがないことが多く、また、術者用キャビネット上のスピットンには届かない場合もあり、補助者用インスツルメントにおける給水管路の残留水排出は行われていないのが実状であった。更に、補助者用インスツルメントには、バキュームシリンジやサライバエジェクタ等の吸引シリンジが含まれるが、これらの吸引シリンジのバキュームタンクを含む吸引管路の洗浄を、上記残留水の排出と関連付けて行うようにはなっていないので、残留水排出及び吸引管路の洗浄を個別に行う必要があり、日常的な診療作業においては、煩わしさを感じることは否めなかった。
【０００６】
本発明は、上記に鑑みなされたものであり、術者用インスツルメントと補助者用インスツルメントとが区別的に配置された診療装置において、これらのインスツルメントの残留水の排出をシステマチックに行うことができる診療装置と残留水排出方法を提供する点にある。
また、同時に、残留水排出を行った水を用いて吸引管路の洗浄も併せて行う診療装置を提供する。
【課題を解決するための手段】
【０００７】
第１の発明に係る診療装置は、診療台と、スピットンを備えた術者用キャビネットと、補助者用キャビネットと、術者用キャビネットに設けられ、術者用インスツルメントを保持するホルダーを備えたトレーテーブルと、補助者用キャビネットに設けられ、補助者用インスツルメントを保持するホルダーとを有する診療装置において、上記術者用インスツルメントを挿着し得る差込孔を備え、これら差込孔に挿着された術者用インスツルメントの給水管路中の残留水を上記スピットンに排出する為、該スピットンに設置可能とされる放水皿と、上記補助者用キャビネット内に設置され、上記補助者用インスツルメントを挿着し得る差込孔を備え、これら差込孔に挿着された補助者用インスツルメントの給水管路中の残留水を排出する為の洗浄タンクとを備え、上記術者用インスツルメントの給水管路及び補助者用インスツルメントの給水管路は、共通の水元及び主給水管路に接続され、両給水管路中の残留水の排出が、この共通の水元及び主給水管路から新たな水を給送することによって、同時又は順次なされるようにしたことを特徴とする。
【０００８】
第２の発明に係る診療装置は、上記診療装置において、上記術者用インスツルメントの給水管路及び補助者用インスツルメントの給水管路は、共通の水元及び主給水管路に接続されると共に、更に該主給水管路にはエア供給管路の分岐管路が接続され、両給水管路中の残留水の排出が、水元からの給水を遮断した上で、エア供給管路から分岐管路及び主給水管路を介してエアを圧送することによって、一斉になされるようにしたことを特徴とする。
【０００９】
これら両発明においては、前記補助者用インスツルメントが、主給水管路に接続された給水シリンジと、バキュームタンクを介して吸引源に接続された吸引シリンジとを含み、給水シリンジの給水管路中の残留水を前記洗浄タンクに排出する際、吸引シリンジによって該洗浄タンクに排出された排水を吸引して吸引シリンジの管路を洗浄し得るように構成されていることが望ましい。また、洗浄タンクには、前記主給水管路から給水し得る給水口と、前記バキュームタンクに通じる吸引口を設けることも可能である。更に、前記トレーテーブル又は補助者用インスツルメントホルダーには、前記残留水の排出動作を実行させる為の操作スイッチを設けることが望ましい。
【００１０】
また、これら両発明において、前記補助者用キャビネットが、前後にスライド可能な引出しユニットを備え、該引出しユニットには、作業天板と、前記補助者用インスツルメントを保持する為のホルダーと、前記洗浄タンクを含む洗浄タンクユニットとが設けられているものとすることができる。この場合、前記補助者用インスツルメントは、主給水管路に接続された給水シリンジと、バキュームタンクを介して吸引源に接続された吸引シリンジとを含み、給水シリンジの給水管路中の残留水を前記洗浄タンクに排出する際、吸引シリンジによって該洗浄タンクに排出された排水を吸引して吸引シリンジの管路を洗浄し得るようにし、前記洗浄タンクユニットは、上記洗浄タンクとバキュームタンクとを一体として構成されているものとすることが望ましい。
【００１１】
第３の発明に係る診療装置の残留水排出方法は、診療台と、スピットンを備えた術者用キャビネットと、補助者用キャビネットと、術者用キャビネットに設けられ、術者用インスツルメントを保持するホルダーを備えたトレーテーブルと、補助者用キャビネットに設けられ、補助者用インスツルメントを保持するホルダーとを有する診療装置における上記各インスツルメントの給水管路中の残留水排出方法であって、上記術者用インスツルメントを挿着し得る差込孔を備えた放水皿を上記スピットンに設置し、これら差込孔に術者用インスツルメントを挿着する工程と、上記補助者用キャビネット内に設置された洗浄タンクのインスツルメント差込孔に上記補助者用インスツルメントを挿着する工程と、スイッチ操作により、上記術者用インスツルメントの給水管路及び補助者用インスツルメントの給水管路に接続された共通の水元及び主給水管路から、これら給水管路に新たな水を給送し、これら給水管路中の残留水を上記スピットン及び洗浄タンクに同時又は順次排出する工程とよりなることを特徴とする。
【００１２】
第４の発明に係る診療装置の残留水排出方法は、上記と同様の診療装置における上記各インスツルメントの給水管路中の残留水排出方法であって、上記術者用インスツルメントを挿着し得る差込孔を備えた放水皿を上記スピットンに設置し、これら差込孔に術者用インスツルメントを挿着する工程と、上記補助者用キャビネット内に設置された洗浄タンクのインスツルメント差込孔に上記補助者用インスツルメントを挿着する工程と、スイッチ操作により、上記術者用インスツルメントの給水管路及び補助者用インスツルメントの給水管路に接続された共通の水元に通じる主給水管路の途中に接続されたエア供給管路の分岐管路から、水元からの給水を遮断した上で、これら給水管路にエアを圧送し、これら給水管路中の残留水を上記スピットン及び洗浄タンクに一斉に排出する工程とよりなることを特徴とする。
【００１３】
これら両発明に係る診療装置の残留水排出方法においては、前記補助者用インスツルメントは、主給水管路に接続された給水シリンジと、バキュームタンクを介して吸引源に接続された吸引シリンジとを含み、給水シリンジの給水管路中の残留水を前記洗浄タンクに排出する際、吸引シリンジによって該洗浄タンクに排出された排水を吸引して吸引シリンジの管路を洗浄することが望ましい。
【発明の効果】
【００１４】
第１の発明及び第３の発明に係る診療装置及び診療装置の残留水排出方法によれば、上記術者用インスツルメントの給水管路及び補助者用インスツルメントの給水管路が、共通の水元及び主給水管路に接続され、両給水管路中の残留水の排出が、この共通の水元及び主給水管路から新たな水を給送することによって、同時又は順次なされるようにしたから、補助者用インスツルメントの給水管路の残留水の排出が、術者用インスツルメントの給水管路の残留水の排出と共にシステマチックになされ、全インスツルメントの給水管路が清浄水に置き換わり、定期的にこれを実施することにより、給水管路内の雑菌の増殖や水垢の発生を未然に防止することができる。
【００１５】
第２の発明及び第４の発明に係る診療装置及び診療装置の残留水排出方法によれば、上記主給水管路にはエア供給管路の分岐管路が接続され、術者用及び補助者用インスツルメント給水管路中の残留水の排出が、水元からの給水を遮断した上で、エア供給管路から分岐管路及び主給水管路を介してエアを圧送することによって、一斉になされるようにしたから、残留水排出後にこれら給水管路に水が残留せず空の状態とすることができる。従って、診療作業の後、残留水の排水を行って給水管路内を空にしておけば、次の診療作業時にそのままインスツルメントを使用することも可能とされる。また、エア圧による押出し力が大きいから、給水管路の管路抵抗に関係なく全てのインスツルメントにおける給水管路の残留水の押し出しを一斉に行うことができ、効率化が図られる。
【００１６】
また、上記発明に係る診療装置及び診療装置の残留水排出方法において、補助者用インスツルメントとしての給水シリンジの給水管路中の残留水を、補助者用キャビネット内に設置された洗浄タンクに排出する際、吸引シリンジによって該洗浄タンクに排出された排水を吸引して吸引シリンジの吸引管路を洗浄するようにすれば、インスツルメントの給水管路の残留水排出と平行して吸引シリンジの吸引管路の洗浄も実施することができ、しかも、給水シリンジから排出された水をそのまま使用することができ、極めて効率的である。
【００１７】
上記発明に係る診療装置において、洗浄タンクに、前記主給水管路から給水し得る給水口と、前記バキュームタンクに通じる吸引口を設けるようにすれば、この洗浄タンクを介在させて主給水管路からの清浄水又は給水シリンジの吸引管路からの排水を用いバキュームタンクの洗浄も実施することができる。更に、前記トレーテーブル又は補助者用インスツルメントホルダーに、前記残留水の排出動作を実行させる為の操作スイッチを設けるようにすれば、術者或いは補助者が、日常的な診療作業の開始前或いは終了後の作業の流れの中で、手近のスイッチ操作のみで全てのインスツルメントの給水管路の残留水排出作業を実施することができ、残留水排出作業に対する精神的負担も軽減される。
【００１８】
また、上記発明に係る診療装置及び診療装置の残留水排出方法において、排水管路のない補助者用キャビネットで、残留水排出した水を既存の吸引シリンジで吸引することによって、新たに残留水排出要の排水管路を設けなくても良く、更に、残留水排出に関する部品点数も削減できるので、コストも最小限に抑えられる。
【００１９】
第１及び第２の発明に係る診療装置において、前記補助者用キャビネットが、前後にスライド可能な引出しユニットを備え、該引出しユニットには、作業天板と、前記補助者用インスツルメントを保持する為のホルダーと、前記洗浄タンクを含む洗浄タンクユニットとが設けられているものとすれば、引出しユニットを引出すことにより、診療中における補助者用インスツルメントの取出し、持ち替え或いは収納がし易い上に、補助者用インスツルメントの給水管路の残留水の排出作業が術者若しくは補助者が一人で移動せずとも容易に行うことができる。
【００２０】
更にこの場合、前記補助者用インスツルメントが、主給水管路に接続された給水シリンジと、バキュームタンクを介して吸引源に接続された吸引シリンジとを含み、給水シリンジの給水管路中の残留水を前記洗浄タンクに排出する際、吸引シリンジによって該洗浄タンクに排出された排水を吸引して吸引シリンジの管路を洗浄し得るようにし、前記洗浄タンクユニットは、上記洗浄タンクとバキュームタンクとを一体として構成されているものとすれば、引出しユニットを引出すことにより、診療中であっても、容易に吸引シリンジの吸引管路の洗浄を実施することができ、特に術者が一人で診療を行う際にも、椅子に座したままで吸引管路の洗浄を実施することができる。
【発明を実施するための最良の形態】
【００２１】
以下、本発明の最良の形態について図面に基づき説明する。図１は本発明の診療装置の一実施形態を示す概念的平面図、図２は同実施形態におけるインスツルメント用作用媒体管路及び排水・洗浄管路の配管系統図、図３は同実施形態のスピットンに放水皿を設置した状態を示す部分切欠斜視図、図４は図３におけるＸ−Ｘ線矢視断面図、図５は同実施形態における補助者用キャビネットに設けられた洗浄タンクの概念的外観斜視図、図６は同洗浄タンクの縦断面図、図７は残留水排水工程の一実施形態のフロー図、図８は同残留水排水工程のタイムチャート図、図９は残留水排水工程の他の実施形態のフロー図、図１０は同残留水排水工程のタイムチャート図、図１１は本発明の診療装置を構成する補助者用キャビネットの他の実施形態を示す部分切欠正面図、図１２は同補助者用キャビネットの側面図、図１３は同補助者用キャビネットの使用時の状態を示す側面図である。
【００２２】
図１は歯科用診療装置を示し、診療スペース（診療室）Ｓ内に、昇降自在且つ背板が傾動自在とされた歯科用診療台１の側部に、術者用キャビネット２及び補助者用キャビネット３が、平面視して略直交関係で配置されている。術者用キャビネット２の天板２ａ上には診療台１上の患者Ｐにうがい等をさせる為のスピットン４が設置され、このスピットン４の近傍には自動給水栓４ａ及び自動コップ給水栓４ｂが装備されている。また、術者用キャビネット２の側部には、自在アーム５ａを介し水平移動可能にトレーテーブル５が支持されている。トレーテーブル５は、術者Ｄの診療作業位置に応じて位置移動可能とされ、その側部には術者用インスツルメント７〜１１を保持するホルダー６が付設されている。このホルダー６には、図例では、術者用インスルメントとして、２種のエアタービンハンドピース７，８、マイクロモータハンドピース９、超音波スケーラ１０及びスリーウェイシリンジ１１が保持されている。
【００２３】
補助者用キャビネット３には、補助者用インスツルメント１３〜１５を保持するホルダー１２が自在アーム１２ａを介して水平移動可能に支持されている。この補助者用ホルダー１２は、補助者Ｎの補助作業位置に応じて位置移動可能とされ、図例では補助者用インスツルメントとして、スリーウェイシリンジ（給水シリンジ）１３、バキュームシリンジ（吸引シリンジ）１４及びサライバエジェクタ（吸引シリンジ）１５が保持されている。補助者用キャビネット３の作業天板３ａの下部には、後記する洗浄タンク１６が設置されている。また、補助者用ホルダー１２の表面には、後記する残留水排出操作スイッチ１７及びバキュームタンク洗浄操作スイッチ１８が設けられている。
【００２４】
次に、上記各インスツルメント用作用媒体（給水、給気、吸気）の管路構成について説明する。図２において、給水用管路（スピットン用給水管路含む）は、水元３０に接続された主給水管路３１と、この主給水管路３１から分岐する術者用キャビネット２側の給水管路３２〜３８と、補助者用キャビネット３側の給水管路３９，４０とよりなる。主給水管路３１には給水元弁（水元電磁弁）３１ａ、除菌フィルタ３１ｂ、ウオーマ３１ｃ等が配設されている。給水管路３２はエアタービンハンドピース７に、給水管路３３はエアタービンハンドピース８に、給水管路３４はマイクロモータハンドピース９に、給水管路３５は超音波スケーラ１０に、給水管路３６はスリーウェイシリンジ１１に夫々接続されている。また、給水管路３７はスピットン４の自動給水栓４ａに、給水管路３８は同自動コップ給水栓４ｂに夫々接続されている。更に、給水管路３９は補助者用のスリーウェイシリンジ１３に、該給水管路３９から分岐する給水管路４０は洗浄タンク１６に導入されている。
【００２５】
給水管路３２〜３５の途中には、電磁弁３２ａ，３３ａ，３４ａ，３５ａが配設されている。これら給水管路３２〜３５に対応する術者用インスツルメント７〜１０の通常の使用時においては、いずれかのインスツルメントがホルダー６から取外されたことがホルダー６に設けられたセンサ（不図示）により検出され、フートスイッチ（不図示）の操作がなされると、取外されたインスツルメントに対応する電磁弁が開となって、当該インスツルメントの注水口から注水がなされる。また、給水管路３７及び給水管路３８の途中には、電磁弁３７ａ，３８ａが配設され、自動給水栓４ａ及び自動コップ給水栓４ｂ下の患者等の手及びコップの存在を検出するとこれら電磁弁３７ａ，３８ａが開となって、自動給水栓４ａ及び自動コップ給水栓４ｂからの給水がなされる。
【００２６】
術者用スリーウェイシリンジ１１及び補助者用スリーウェイシリンジ１３に接続される給水管路３６及び３９の途中には上記のような電磁弁は存在せず、これらスリーウェイシリンジ１１，１３は、そのグリップ部にメカバルブ（不図示）及び操作レバー１１ａ，１３ａ（図３，図５，図６参照）を備え、術者及び補助者による操作レバー１１ａ，１３ａの押圧操作によって先端ノズル部からの注水がなされる。給水管路４０は洗浄タンク１６に給水する為のものであり、その途中に電磁弁４０ａが配設されている。
【００２７】
エア供給管路は、コンプレッサー（不図示）による圧縮空気源としてのエア元５０と、このエア元５０に接続された主エア供給管路５１と、この主エア供給管路５１から分岐する術者用キャビネット２側のエア供給管路５２〜５９と、補助者用キャビネット３側のエア供給管路６０とよりなる。エア供給管路５２，５３はエアタービンハンドピース７，８のタービン駆動用であり、その途中には、フートスイッチの足踏み操作により開閉する電磁弁（いずれも不図示）が配設される。エア供給管路５４〜５７は、前記給水管路３２〜３５から供給される水を噴霧させるチップエア用として各インスツルメント（エアタービンハンドピース、マイクロモータハンドピース、超音波スケーラ）７〜１０に導入されるもので、途中にフートスイッチの足踏み操作により開閉する電磁弁５４ａ〜５７ａが配設されている。また、エア供給管路５８は、マイクロモータハンドピース９の発熱を防ぐ為のクーリングエアを噴出させるもので、途中に上記同様フートスイッチの足踏み操作により開閉する電磁弁５８ａが配設されている。
【００２８】
エア供給管路５９，６０は、術者用スリーウェイシリンジ１１及び補助者用スリーウェイシリンジ１３に接続され、その先端ノズル部よりエアを噴出させるようにしたもので、このエア供給管路５９，６０の途中には上記のような電磁弁は存在せず、これらスリーウェイシリンジ１１，１３は、そのグリップ部にエア用メカバルブ（不図示）及びエア用操作レバー１１ｂ，１３ｂ（図３，図５参照）を備え、術者及び補助者による操作レバーの押圧操作によって先端ノズル部からのエアの噴出がなされる。このエア操作レバー１１ｂ，１３ｂは、前記給水用操作レバー１１ａ，１３ａと並設され、術者及び補助者によって両者が選択的に或いは同時に押圧操作される。主エア供給管路５１の途中に給気元弁（電磁弁）５１ａが配設され、この給気元弁５１ａの上流側には、前記主給水管路３１に接続される分岐管路６１が形成され、この分岐管路６１には電磁弁（エア押出し電磁弁）６１ａが配設されている。
これらの給気元弁（電磁弁）５１ａ、分岐管路６１及び電磁弁（エア押出し電磁弁）６１ａは、第１の発明（水押出し式）の場合は不要であり、第２の発明（エア押出し式）の場合にのみ必要となる。
【００２９】
補助者用インスツルメントとしてのバキュームシリンジ１４およびサライバエジェクタ１５は吸引管路に接続されている。即ち、バキュームシリンジ１４およびサライバエジェクタ１５は、真空ポンプ（不図示）による吸引源７０に接続される主吸引管路７１から、バキュームタンク７２を経て分岐する各吸引管路７３，７４に接続されている。これら各吸引管路７３，７４の途中には、電磁弁７３ａ，７４ａが配設され、通常の診療時には、ホルダー１２から取り出されたことをセンサ（不図示）が検出してこれらの電磁弁７３ａ，７４ａの開閉がなされる。更に、主吸引管路７１から分岐する分岐吸引管路７５が洗浄タンク１６内に導入されている。この分岐吸引管路７５の途中に電磁弁７５ａが配設されている。
【００３０】
スピットン４からの排水は、排水管路８１を経て、後記する洗浄タンク１６のオーバーフロー水は排水管路８２を経て、また、バキュームタンク７２で個液分離された廃液は排水管路８３を経て排水先８０に排水される。通常の診療作業においては、スリーウェイシリンジ１１，１３を除くインスツルメント７〜１０，１４，１５が夫々のホルダー６，１２から取外され、所望の作用媒体に対応するフートスイッチを足踏み操作すると、取外されたインスツルメントに所望の作用媒体が供給され、また吸引がなされる。スリーウェイシリンジ１１，１３の使用時には、上述のように各グリップ部に設けられた操作レバー１１ａ，１１ｂ，１３ａ，１３ｂの押圧操作により、先端部から所望の作用媒体を噴出させることができる。
【００３１】
次に、上記インスツルメント（吸引シリンジを除く）の給水管路中の残留水排出の機構及び吸引管路の洗浄の機構について述べる。図３及び図４はスピットン４に設置される放水皿１９を示し、この放水皿１９は広口開口部１９ａを下向きにして、スピットン４の開口部の略半部を覆うように設置される。放水皿１９の上面には、術者用インスツルメント７〜１１を挿着し得る５個の差込孔１９ｂ，１９ｃ，１９ｄ，１９ｅ，１９ｆが開設されている。図３では、差込孔１９ｂにスリーウェイシリンジ１１が、差込孔１９ｃにエアタービンハンドピース７が、差込孔１９ｄにエアタービンハンドピース８が、差込孔１９ｅにマイクロモータハンドピース９が、差込孔１９ｆに超音波スケーラ１０が、それぞれ先端ヘッド部、ノズル部或いはチップ部が取外された状態で挿着されている。各差込孔１９ｂ〜１９ｆは、対応するインスツルメントを挿着・保持し得る形状に形成されている。
【００３２】
また、差込孔１９ｂの差込孔には突起部１９ｇが形成され、スリーウェイシリンジ１１を挿着した際、この突起部１９ｇに押当して操作レバー１１ａが押圧され、前記給水元電磁弁３１ａが開となっている限り、差込孔１９ｂにスリーウェイシリンジ１１を挿着すると同時に水の放出がなされる。１９ｈは、自動コップ給水栓４ｂの給水を受ける樋状体であり、放水皿１９をスピットン４上に設置すると、コップ有無センサ（不図示）がこれを検知して、自動コップ給水栓４ｂからこの樋状体１９ｈに自動的に給水されスピットン４に排水される。
【００３３】
図５及び図６は、補助者用キャビネット３に設置される洗浄タンク１６を含む洗浄タンクユニット１６Ａを示している。ユニット筐体１６ａには、補助者用インスツルメント１３，１４，１５を挿着し得る３個の差込孔１６ｂ，１６ｃ，１６ｄが開設されている。差込孔１６ｂにはスリーウェイシリンジ１３が、差込孔１６ｃにはサライバエジェクタ１５が、差込孔１６ｄにはバキュームシリンジ１４が先端ヘッドノズル部或いはチップ部が取外された状態で挿着されている。各差込孔１６ｂ〜１６ｄは、対応するインスツルメントを挿着・保持し得る形状に形成されている。また、差込孔１６ｂの差込孔には突起部１６ｅが形成され、スリーウェイシリンジ１３を挿着した際、この突起部１６ｅに押当して操作レバー１３ａが押圧され、前記給水元電磁弁３１ａが開となっている限り、差込孔１６ｂにスリーウェイシリンジ１３を挿着すると同時に水の放出がなされる。
【００３４】
上記差込孔１６ｂ，１６ｃ，１６ｄには洗浄タンク１６への導入管１６ｆ，１６ｇ，１６ｈが連結されている。導入管１６ｆは給水管路４０と合流する。給水管路４０の先端は給水口４０ｂとして洗浄タンク１６に臨んでいる。導入管１６ｇ，１６ｈの先端は洗浄タンク１６の底部近傍にまで及ぶ。また、前述のようにバキュームタンク７２に通じる吸引管路７５も、その先端吸引口７５ｂが洗浄タンク１６の底部近傍にまで及ぶよう導入されている。１６ｉは、オーバーフローパイプであって配水管８２に連結されている。
【実施例１】
【００３５】
上記構成の残留水排出機構及び吸引管路洗浄機構によるインスツルメント７〜１１，１３の給水管路３２〜３６，３９中の残留水排出方法及びバキュームタンク７２を含む吸引管路７１，７３，７４の管路洗浄方法の一実施例について、図７のフロー図及び図８のタイムチャート図をも参照して説明する。ステップＳ１において、術者用キャビネット２のスピットン４に放水皿１９を設置する。次いで、エアタービンハンドピース７，８、マイクロモータハンドピース９、超音波スケーラ１０及びスリーウェイシリンジ１１をホルダー６から取出し、先端ヘッド部、チップ部及びノズル部を取外した上で、夫々放水皿１９の差込孔１９ｃ，１９ｄ，１９ｅ，１９ｆ，１９ｂに差込み挿着する（ステップＳ２〜Ｓ５）。この状態では、上述のようにスリーウェイシリンジ１１の操作レバー１１ａが押圧され、スピットン４への放水がなされるが、エアタービンハンドピース７，８マイクロモータハンドピース９、超音波スケーラ１０の電磁弁５４ａ〜５７ａはスタンバイ状態とされる。
【００３６】
ステップＳ６〜Ｓ８において、補助者用キャビネット３に設置された洗浄タンクユニット１６Ａ（ユニット筐体１６ａ）の各差込孔１６ｄ，１６ｃ，１６ｂにバキュームシリンジ１４、サライバエジェクタ１５及びスリーウェイシリンジ１３を、先端ノズル部及びチップ部を取外した上で差込み挿着する。この状態では、上述のようにスリーウェイシリンジ１３の操作レバー１３ａが押圧され、洗浄タンク１６への放水がなされるが、バキュームシリンジ１４、サライバエジェクタ１５の電磁弁７３ａ，７４ａ及び洗浄タンク給水用の電磁弁４０ａはスタンバイ状態とされる。
【００３７】
ステップＳ９において、残留水排出スイッチ１７をオンする（図８のｔ１）と、電磁弁７３ａ，７４ａが開となって、スリーウェイシリンジ１３から洗浄タンク１６に放出された水がバキュームシリンジ１４及びサライバエジェクタ１５によって逐次吸引され（ステップＳ１０）、バキュームタンク７２及び排水管路８３を経て排出先８０に排出される。この間、スリーウェイシリンジ１３の給水管路６０中の残留水は洗浄タンク１６に放出されると共に水元３０から供給される清浄水に置き換わる。そして、洗浄タンク１６に放出された水は、バキュームシリンジ１４、サライバエジェクタ１５によって逐次吸引されるから、吸引管路７３，７４及びバキュームタンク７２が洗浄される。
【００３８】
ステップＳ１０において、図８に示すように、マイクロモータハンドピース９、超音波スケーラ１０、エアタービンハンドピース７，８の電磁弁３４ａ，３５ａ，３２ａ，３３ａが時分割で開閉されるよう設定されており、残留水排出スイッチ１７のオンと同時に、この順序で水元３０から各インスルメント９，１０，７，８に清浄水が供給され、これらの給水管路５６，５７，５４，５５の残留水がスピットン４に排出されると共に清浄水に置き換わる。電磁弁３４ａ，３５ａ，３２ａ，３３ａの開を時分割で行うようにしたのは、管路抵抗の大きな給水管路中の残留水が十分に排出されなくなることがあるからであるが、給水圧が十分に確保される場合はこれらを同時に開としても良い。
【００３９】
図８に示すように所定の計時時間、例えば６分が経過すると（ｔ２）、残留水排出スイッチ１７が自動的にオフとなり、給水用電磁弁３３ａ及び吸引用電磁弁７３ａ，７４ａが閉となって、残留水排出及び吸引管路洗浄が終了する（ステップＳ１１、Ｓ１１´）。各インスツルメント７〜１１，１３〜１５を各ホルダ６，１２に戻す（ステップＳ１２）と共に放水皿１９を片付け（ステップＳ１３）全ての作業が終了する。
【００４０】
上記一連の工程前、工程中或いは工程終了時に（図８では終了時）に、バキュームタンク洗浄操作スイッチ１８を操作すると、洗浄タンク１６への給水電磁弁４０ａが開とされると共に、洗浄タンク１６に導入された吸引管路７５の電磁弁７５ａが開とされる。これにより、水元３０からの清浄水が加わり、洗浄タンク１６及びバキュームタンク７２を含む吸引管路の洗浄が十分になされる。この場合、例えば、図８に示す例の場合に、バキュームタンク洗浄操作スイッチ１８のオフがなされる前に、吸引管路７５の電磁弁７５ａが閉となるように設定しておけば、洗浄タンク１６に清浄水を溜めた状態で終了することになるから、次の洗浄作業が効率的になされる。
【実施例２】
【００４１】
次に、インスツルメント７〜１１，１３の給水管路３２〜３６，３９中の残留水排出方法及びバキュームタンク７２を含む吸引管路７１，７３，７４の管路洗浄方法の他の実施例について、図９のフロー図及び図１０のタイムチャート図をも参照して説明する。実施例１は、水元３０から清浄水を各給水管路に供給することにより、残留水を押出し排出するものであるが、実施例２はエアを各給水管路に供給することにより、残留水を押出し排出するものである。
【００４２】
事前準備として、実施例１と同様に、ステップＳ２１において、術者用キャビネット２のスピットン４に放水皿１９を設置する。次いで、エアタービンハンドピース７，８、マイクロモータハンドピース９、超音波スケーラ１０及びスリーウェイシリンジ１１をホルダー６から取出し、先端ヘッド部、チップ部及びノズル部を取外した上で、夫々放水皿１９の差込孔１９ｃ，１９ｄ，１９ｅ，１９ｆ，１９ｂに差込み挿着する（ステップＳ２２〜Ｓ２５）。この状態では、上述のようにスリーウェイシリンジ１１の操作レバー１１ａが押圧され、スピットン４への放水がなされるが、エアタービンハンドピース７，８、マイクロモータハンドピース９、超音波スケーラ１０の電磁弁５４ａ〜５７ａはスタンバイ状態とされる。
【００４３】
ステップＳ２６〜Ｓ２８において、補助者用キャビネット３に設置された洗浄タンクユニット１６Ａ（ユニット筐体１６ａ）の各差込孔１６ｄ，１６ｃ，１６ｂにバキュームシリンジ１４、サライバエジェクタ１５及びスリーウェイシリンジ１３を、先端ノズル部及びチップ部を取外した上で差込み挿着する。この状態では、上述のようにスリーウェイシリンジ１３の操作レバー１３ａが押圧され、洗浄タンク１６への放水がなされるが、バキュームシリンジ１４、サライバエジェクタ１５の電磁弁７３ａ，７４ａ及び洗浄タンク給水用の電磁弁４０ａはスタンバイ状態とされる。
【００４４】
ステップＳ２９において、残留水排出スイッチ１７をオンする（図１０のｔ３）と、電磁弁７３ａ，７４ａが開となって、スリーウェイシリンジ１３から洗浄タンク１６に放出された水がバキュームシリンジ１４、サライバエジェクタ１５によって逐次吸引され（ステップＳ３０）、バキュームタンク７２を経て排出先８０に排出される。この間、スリーウェイシリンジ１３の給水管路６０中の残留水は洗浄タンク１６に放出されると共に水元３０から供給される清浄水に置き換わる。そして、洗浄タンク１６に放出された水は、バキュームシリンジ１４及びサライバエジェクタ１５によって逐次吸引されるから、吸引管路７３，７４及びバキュームタンク７２が洗浄される。
【００４５】
所定時間後（図１０のｔ４）、マイクロモータハンドピース９、超音波スケーラ１０、エアタービンハンドピース７，８の電磁弁３４ａ，３５ａ，３２ａ，３３ａが開となり（ステップＳ３１）、同時に水元電磁弁３１ａが閉となる（ステップＳ３２）。更に所定時間後（図１０のｔ５）、エア分岐管路６１の電磁弁（エア押出電磁弁）６１ａが開となり、主給水管路３１から、各給水管路３２，３３，３４，３５，３６，３９にエアが圧送され、これら給水管路に残留する水がエアで押出され、各インスツルメントの注水口よりスピットン４及び洗浄タンク１６に排出される（ステップＳ３３）。図１０のタイムチャートにおける、バキュームシリンジ１４及びサライバエジェクタ１５を除くインスツルメント７〜１１，１３のＯＮは、これらの給水管路にエアの給送が開始されたことを示す。図１０のｔ５からｔ６の間、このエア押出しによる残留水の排出が継続されると共にバキュームシリンジ１４及びサライバエジェクタ１５によって洗浄タンク１６に排出された水の吸引がなされる。エアの供給圧は十分に高いから、これらは一斉になされ、従って、残留水の排出等を短時間で実施することができる。
【００４６】
図１０に示すように所定の計時時間が経過すると（ｔ６）、残留水排出スイッチ１７が自動的にオフとなり、残留水排出及び吸引管路洗浄が終了する（ステップＳ３４、Ｓ３４´）と共にエア押出電磁弁６１ａ及び吸引用電磁弁７３ａ，７４ａが閉となり、水元電磁弁３１ａが開となる（ステップＳ３５）。その後各インスツルメント７〜１１，１３〜１５を各ホルダー６，１２に戻す（ステップＳ３６）と共に放水皿１９を片付け（ステップＳ３７）全ての作業が終了する。ステップＳ３５の水元電磁弁３１ａを開とするタイミングはこの時に限らず、次回の診療時に開としても良い。次回の診療時に水元電磁弁３１ａを開にする場合、各給水管路が空になった状態に維持されることになるから、不使用の時間が長く続いても雑菌増殖の懸念がより少なくなる。
【００４７】
上記一連の工程前、工程中或いは工程終了時に（図１０では終了後の所定時間ｔ７）に、バキュームタンク洗浄操作スイッチ１８を操作すると、洗浄タンク１６への給水電磁弁４０ａが開とされると共に、洗浄タンク１６に導入された吸引管路７５の電磁弁７５ａが開とされる。これにより、水元３０からの清浄水が加わり、洗浄タンク１６及びバキュームタンク７２を含む吸引管路の洗浄が十分になされる。この場合、例えば、図１０に示す例の場合に、バキュームタンク洗浄操作スイッチ１８のオフがなされる前に、吸引管路７５の電磁弁７５ａが閉となるように設定しておけば、洗浄タンク１６に清浄水を溜めた状態で終了することになるから、次の洗浄作業が効率的になされる。
【実施例３】
【００４８】
図１１〜図１３は、上記診療装置を構成する補助者用キャビネットの他の実施形態を示すものである。上記実施形態の補助者用キャビネット３では、洗浄タンク１６を含む洗浄タンクユニット１６Ａが該補助者用キャビネット３内に固定的に設置され、また、補助者用インスツルメントを保持するホルダー１２が自在アーム１２ａを介して補助者用キャビネット３に直接的に設けられ、更に、作業天板３ａが補助者用キャビネット３に固定的に設けられているが、この実施形態の補助者用キャビネット３は、補助者用キャビネット本体３Ａに対して前後にスライド可能な引出しユニット９０を備え、該引出しユニット９０には、作業天板３ａと、前記補助者用インスツルメント１３〜１５（図１１〜図１３では図示を省略）を保持する為のホルダー１２と、前記洗浄タンク１６を含む洗浄タンクユニット１６Ａとが一体的に設けられている。そして、図例の洗浄タンクユニット１６Ａは、洗浄タンク１６と前記バキュームタンク７２とを一体として構成されている。
【００４９】
引出しユニット９０は、レール手段９０ａ（図１３参照）を介して補助者用キャビネット本体３Ａに対して前後スライド可能とされ、前方に引き出し可能な３段の抽斗９０ｂを備えている。補助者用キャビネット本体３Ａは床上に設置され、床下に配設された補助者用キャビネット３側の給水管路３９，４０、エア供給管路６０、主吸引管路７１、排水管路８２，８３、補助者用インスツルメント１３〜１５（いずれも図２参照）に設けられる電気機器（スイッチ、照明等）用及びホルダー１２に設けられる各種電気機器（センサ、操作スイッチ）用電線束等が、補助者用キャビネット本体３Ａ内に導出される。これらは束ねられてチューブ束９１とされ、補助者用キャビネット本体３Ａの側壁に開設された前後に延びる方形窓９２を通して洗浄タンクユニット１６Ａのユニット筐体１６ａ内に導入されている。
【００５０】
補助者用キャビネット本体３Ａの側壁内側であって方形窓９２の上下縁部に沿ってレール９３が取付られ、このレール９３に前後スライド可能にチューブスライド板９４が装着されている。チューブスライド板９４の途中には透孔９４ａが開設され、この透孔９４ａを上記チューブ束９１が保護チューブ９１ａで外装された状態で貫通保持されている。洗浄タンクユニット１６Ａの筐体内に導入されたチューブ束９１の内、補助者用インスツルメント１３〜１５用の給水管路３９、エア供給管路６０、バキュームタンク７２を経た吸引管路７３，７４（いずれも図２参照）及び上記電線等はそれぞれのチューブ（不図示）に纏められ、洗浄タンクユニット１６Ａのユニット筐体１６ａの上部に開設されたインスツルメントチューブ導出用孔１６ｊより導出され、各先端に接続された補助者用インスツルメント１３〜１５がホルダー１２に保持される。また、主吸引管路７１及び排水管路８３はバキュームタンク７２の所定部位に接続され、給水管路４０及び排水管路８２は洗浄タンク１６の所定部位に接続される。ユニット筐体１６ａには、上記と同様に洗浄タンク１６に繋がる差込孔１６ｂ，１６ｃ，１６ｄが形成されている。
【００５１】
上記構成の補助者用キャビネット３において、上記差込孔１６ｂ，１６ｃ，１６ｄに補助者用インスツルメント１３〜１５をその先端ノズル部或いはチップ部を取外した状態で挿着することにより、実施例１或いは実施例２と同要領で残留水排出・洗浄作業を実施することができる。この場合、図１２のように引出しユニット９０を収納した状態で実施することも可能であるが、図１３のように引出しユニット９０を前方に引出した状態でも実施することができる。この引出し操作は、作業天板３ａの前端下面に設けられた採手３ｂによってなされる。そして、引出しユニット９０の引出し操作の際、洗浄タンクユニット１６Ａも追従して引き出され、これに伴いチューブ束９１が洗浄タンクユニット１６Ａのユニット筐体１６ａ内を引き回されることになるが、補助者用キャビネット本体３Ａから洗浄タンクユニット１６Ａへの導入部分では、チューブ束９１はチューブスライド板９４の透孔９４ａによって保持された状態とされているから、チューブ束９１の動きによってチューブスライド板９４がレール９３に沿ってスライドし、図１３に示すような引出し位置への移動が円滑になされる。図１２の収納位置への移動も同様に円滑になされる。補助者用インスツルメントホルダー１２は、自在アーム１２ａによって、更にこの位置から任意の位置に移動し得ることも上記と同様である。
【００５２】
図１３に示すような引出し位置にあっては、ホルダー１２に保持された各インスツルメント１３〜１５の取扱い、作業天板３ａ上での各作業、更には抽斗９０ｂに収納された薬品・治療具等の取り出し等、通常の診療作業に付帯する各種作業の効率化が図られる上に、通常の診療作業中においても上記残留水排出・洗浄作業を実施することができる。特に、術者が一人で診療作業や残留水排出・洗浄作業を実施する場合にも至便である。
【００５３】
尚、上記実施形態では、歯科用の診療装置を例に採って述べたが、耳鼻科用やその他の診療装置にも本発明を適用することが出来る。また、術者用インスツルメント及び補助者用インスツルメントの種類及び本数等は図例のものに限定されるものではない。更に、補助者用キャビネット及び補助者用インスツルメント等を、術者自らが使用することもあり得ることは言うまでもない。加えて、図１に示す診療装置のレイアウト構造は、これに限らず、他の変形態様も可能であることも言うまでもない。また、図１１〜１３に示す補助者用キャビネットの構造は図例のものに限定されず、例えば、他の医療用キャビネット内に組み込んで構成することも可能である。
【図面の簡単な説明】
【００５４】
【図１】本発明の診療装置の一実施形態を示す概念的平面図である。
【図２】同実施形態におけるインスツルメント用作用媒体管路及び排水・洗浄管路の配管系統図である。
【図３】同実施形態のスピットンに放水皿を設置した状態を示す部分切欠斜視図である。
【図４】図３におけるＸ−Ｘ線矢視断面図である。
【図５】同実施形態における補助者用キャビネットに設けられた洗浄タンクの概念的外観斜視図である。
【図６】同洗浄タンクの縦断面図である。
【図７】残留水排水工程の一実施形態のフロー図である。
【図８】同残留水排水工程のタイムチャート図である。
【図９】残留水排水工程の他の実施形態のフロー図である。
【図１０】同残留水排水工程のタイムチャート図である。
【図１１】本発明の診療装置を構成する補助者用キャビネットの他の実施形態を示す部分切欠正面図である。
【図１２】同補助者用キャビネットの側面図である。
【図１３】同補助者用キャビネットの使用時の状態を示す側面図である。
【符号の説明】
【００５５】
１              診療台
２              術者用キャビネット
３              補助者用キャビネット
３ａ            作業天板
４              スピットン
５              トレーテーブル
６              ホルダー
７〜１１        術者用インスツルメント
１２            ホルダー
１３〜１５      補助者用インスツルメント（給水シリンジ、吸引シリンジ）
１６            洗浄タンク
１６ｂ〜１６ｄ  差込孔
１６Ａ          洗浄タンクユニット
１７            残留水排出操作スイッチ
１９            放水皿
１９ｂ〜１９ｆ  差込孔
３０            水元
３１            主給水管路
３２〜３６，３９  給水管路
４０ｂ          給水口
５１            エア供給管路
６１            分岐管路
７０            吸引源
７２            バキュームタンク
７３，７４      吸引シリンジ管路
７５ｂ          吸引口
９０            引出しユニット
【図１】
0004691478.tif 000002
【図２】
0004691478.tif 000003
【図３】
0004691478.tif 000004
【図４】
0004691478.tif 000005
【図５】
0004691478.tif 000006
【図６】
0004691478.tif 000007
【図７】
0004691478.tif 000008
【図８】
0004691478.tif 000009
【図９】
0004691478.tif 000010
【図１０】
0004691478.tif 000011
【図１１】
0004691478.tif 000012
【図１２】
0004691478.tif 000013
【図１３】
0004691478.tif 000014